(57)【要約】      （修正有）【課題】施錠状態で作動する発光部を含む南京錠を提供する。【解決手段】縦方向に第１出入溝及び第２出入溝が形成され、第１出入溝と連通する固定溝が横方向に形成される本体１００と、曲がった丸棒形態として下から上に第１係止溝２２０と第２係止溝２４０が離隔して形成される一側端部は第１出入溝に収容され、他側端部は南京錠の開錠状態で本体１００と離隔し、施錠状態で第２出入溝を通じて本体１００の内部に挿入される掛け金２００と、掛け金２００の一側端部の下で第１出入溝に収容される第１弾性体３００と、固定溝に収容される第２弾性体４００と、一側が第２弾性体４００に接するように固定溝に挿入され、他側は開錠状態で第１係止溝２００に位置し、施錠状態で第２係止溝２４０に位置する固定ピン５００と、本体１００に結合されて施錠状態で作動する発光部を含む。【選択図】図２
2019044570.tif 000002
【特許請求の範囲】
【請求項１】
縦方向に第１出入溝及び第２出入溝が形成され、前記第１出入溝と連通する固定溝が横方向に形成される本体と、
曲がった丸棒形態として下から上に第１係止溝と第２係止溝が離隔して形成される一側端部は前記第１出入溝に収容され、他側端部は南京錠の開錠状態で前記本体と離隔し、前記南京錠の施錠状態で前記第２出入溝を通じて前記本体の内部に挿入される掛け金と、
前記掛け金の一側端部の下で前記第１出入溝に収容される第１弾性体と、
前記固定溝に収容される第２弾性体と、
一側が前記第２弾性体に接するように前記固定溝に挿入され、他側は前記南京錠の開錠状態で前記第１係止溝に位置し、前記南京錠の施錠状態で前記第２係止溝に位置する固定ピンと、
前記本体に結合されて前記南京錠の施錠状態で作動する発光部と、を含むことを特徴とする南京錠。
【請求項２】
縦方向に第１出入溝と第２出入溝が離隔して形成され、前記第１出入溝及び前記第２出入溝と連通する設置溝が横方向に形成される本体と、
曲がった丸棒形態として下から上に第１係止溝と第２係止溝が離隔して形成される一側端部は前記第１出入溝に収容され、他側端部は南京錠の開錠状態で前記本体と離隔し、前記南京錠の施錠状態で前記第２出入溝を通じて前記本体の内部に挿入される掛け金と、
前記掛け金の一側端部に接するように前記第１出入溝に収容される第１弾性体と、
前記設置溝に収容され、一側には前記南京錠の開錠状態で前記第１係止溝に位置し、前記南京錠の施錠状態で前記第２係止溝に位置する第１弾性バーが形成される弾性片と、を含むことを特徴とする南京錠。
【請求項３】
縦方向に第１出入溝と第２出入溝が離隔して形成され、前記第１出入溝及び前記第２出入溝と連通する設置溝が横方向に形成され、前記第２出入溝の下端と連通する装着溝が形成される本体と、
曲がった丸棒形態として下から上に第１係止溝と第２係止溝が離隔して形成される一側端部は前記第１出入溝に収容され、他側端部は南京錠の開錠状態で前記本体と離隔し、前記南京錠の施錠状態で前記第２出入溝を通じて前記本体の内部に挿入される掛け金と、
前記掛け金の一側端部に接するように前記第１出入溝に収容される第１弾性体と、
前記設置溝に収容され、一側には前記南京錠の開錠状態で前記第１係止溝に位置し、前記南京錠の施錠状態で前記第２係止溝に位置する第１弾性バーが形成され、他側には前記南京錠の施錠状態で前記掛け金の他側端部によって下に曲がる第２弾性バーが形成される弾性片と、
前記本体に形成された装着溝に結合されて前記南京錠の施錠状態で作動する発光部と、を含むことを特徴とする南京錠。
【請求項４】
前記発光部は、
前記本体に結合される発光素子と、
前記本体の装着溝に結合され、前記発光素子から出る光を透過させる透光部と、
前記本体に昇降可能に結合され、第１電極と第２電極とを備えて前記発光素子に電気を供給する電源部と、
前記南京錠の施錠状態で前記発光素子と前記電源部を電気的に接続する点灯部と、を含むことを特徴とする請求項１に記載の南京錠。
【請求項５】
前記発光部は、
前記本体に結合される発光素子と、
前記本体の装着溝に結合され、前記発光素子から出る光を透過させる透光部と、
前記本体に昇降可能に結合され、第１電極と第２電極とを備えて前記発光素子に電気を供給する電源部と、
前記南京錠の施錠状態で前記発光素子と前記電源部を電気的に接続する点灯部と、を含むことを特徴とする請求項３に記載の南京錠。
【請求項６】
前記設置溝は、
中央に位置する第１設置溝と、
前記第１設置溝の一側に位置して前記第１弾性バーが動き得る空間を提供する第２設置溝と、
前記第１設置溝の他側に位置して前記第２弾性バーが動き得る空間を提供する第３設置溝と、を含むことを特徴とする請求項５に記載の南京錠。
【請求項７】
前記点灯部は、
前記発光素子の第１接続端子と前記電源部の第１電極との間に結合される第１接続部と、
前記発光素子の第２接続端子と前記電源部の第２電極との間に結合される第２接続部と、を含み、
前記南京錠の施錠状態で前記電源部が下降し、前記第２接続部が前記第２電極と接することを特徴とする請求項４に記載の南京錠。
【請求項８】
前記点灯部は、
前記発光素子の第１接続端子と前記電源部の第１電極との間に結合される第１接続部と、
前記発光素子の第２接続端子と前記電源部の第２電極との間に結合される第２接続部と、を含み、
前記南京錠の施錠状態で前記電源部が下降し、前記第２接続部が前記第２電極と接することを特徴とする請求項６に記載の南京錠。
【請求項９】
前記点灯部は、
前記第２出入溝に結合され、前記本体に挿入された前記掛け金の他側端部によって下降するプッシュピンと、
前記発光素子の第１接続端子と前記電源部の第１電極との間に結合される第１接続部と、
前記発光素子の第２接続端子と前記プッシュピンとの間に結合される第２接続部と、を含み、
前記第２接続部は、前記南京錠の施錠状態で前記プッシュピンによって前記電源部が下降して前記第２電極と接することを特徴とする請求項４に記載の南京錠。
【請求項１０】
前記点灯部は、
前記発光素子の第１接続端子と前記電源部の第１電極との間に結合される第１接続部と、
前記発光素子の第２接続端子と前記電源部の第２電極との間に結合される第２接続部と、
前記第１接続部または前記第２接続部に連結されて前記発光素子に電源を印加することができるスイッチと、を含み、
前記スイッチは、前記南京錠の施錠状態で前記発光素子と前記電源部を電気的に接続することができることを特徴とする請求項４に記載の南京錠。
【請求項１１】
前記点灯部は、
前記発光素子の第１接続端子と前記電源部の第１電極との間に結合される第１接続部と、
前記発光素子の第２接続端子と前記電源部の第２電極との間に結合される第２接続部と、
前記第１接続部または前記第２接続部に連結されて前記発光素子に電源を印加することができるスイッチと、を含み、
前記スイッチは、前記南京錠の施錠状態で前記発光素子と前記電源部を電気的に接続することができることを特徴とする請求項６に記載の南京錠。
【請求項１２】
前記点灯部は、
前記本体に結合される回転カバーと、
前記発光素子の第１接続端子と前記電源部の第１電極との間を連結するように前記回転カバーに結合される第１接続部と、
前記発光素子の第２接続端子と前記電源部の第２電極との間を連結するように前記回転カバーに結合される第２接続部と、を含み、
前記回転カバーを回すと前記第２接続部が前記第２電極に接することを特徴とする請求項４に記載の南京錠。
【請求項１３】
前記点灯部は、
前記本体の装着溝に結合される回転カバーと、
前記発光素子の第１接続端子と前記電源部の第１電極との間を連結するように前記回転カバーに結合される第１接続部と、
前記発光素子の第２接続端子と前記電源部の第２電極との間を連結するように前記回転カバーに結合される第２接続部と、を含み、
前記回転カバーを回すと前記第２接続部が前記第２電極に接することを特徴とする請求項６に記載の南京錠。
【請求項１４】
前記回転カバーは、前記本体に結合された状態で気密を維持できるＯリングが結合されることを特徴とする請求項１３に記載の南京錠。
【請求項１５】
前記発光部は、
柔軟な素材のチューブ内に発光のための化学物質を収容しているケミカルライトと、
前記ケミカルライトを覆うように前記本体に結合されて前記ケミカルライトの光を透過させる透光部と、
上下に移動できるように前記第２出入溝に結合されるプッシュピンと、を含み、
前記南京錠の施錠状態で前記プッシュピンが下降して前記ケミカルライトを押して発光させることを特徴とする請求項１に記載の南京錠。
【請求項１６】
前記発光部は、
柔軟な素材のチューブ内に発光のための化学物質を収容しているケミカルライトと、
前記本体の装着溝に結合され、前記ケミカルライトから出る光を透過させる透光部と、を含み、
前記南京錠の施錠状態で下降した前記第２弾性バーが前記ケミカルライトを押して発光させることを特徴とする請求項３に記載の南京錠。
【請求項１７】
前記発光部は、
ＬＥＤ及びＬＥＤに電気を供給するバッテリーを含む電子ケミカルライトと、
前記本体の装着溝に結合され、前記電子ケミカルライトから出る光を透過させる透光部と、
前記本体にヒンジで結合される回転ピンと、を含み、
前記南京錠の施錠状態で下降した前記第２弾性バーが前記回転ピンを回転させて前記電子ケミカルライトを作動させることを特徴とする請求項３に記載の南京錠。
【請求項１８】
前記本体は、内部に流入した流体を排出し得るように前記第１出入溝または前記第２出入溝の下部に前記本体の外部に通じる排出孔が形成されることを特徴とする請求項３に記載の南京錠。
【請求項１９】
前記本体は、メモ用紙を保管し得るメモ溝が形成され、
前記メモ溝に保管された前記メモ用紙が遺失することを防止できるように前記メモ溝に結合されるメモカバーをさらに含むことを特徴とする請求項３に記載の南京錠。
【請求項２０】
前記メモ溝に挿入され、メモ用紙を収容できる装着溝を備えた容器をさらに含むことを特徴とする請求項１９に記載の南京錠。
【発明の詳細な説明】
【技術分野】
【０００１】
本発明は、南京錠の本体に発光素子を備えて南京錠を閉めると発光素子が点灯する南京錠に関する。
【背景技術】
【０００２】
本明細書で他に表示されない限り、本識別項目で説明される内容は本出願の請求項に対する従来技術ではなく、本識別項目に記載されているという理由で従来技術であると認められるものではない。
【０００３】
南京錠は開閉可能になっている物をロックする装置を言う。一般的に、南京錠は半楕円形の掛け金と本体の二つの部分からなっており、鍵で開くと掛け金の一方の脚は本体に連結された状態からもう一方の脚が本体から分離されて南京錠が開放される構造である。
【０００４】
近年、南京錠は伝統的な用途とは異なる使い方がされており、フランスのパリにあるセーヌ川のポンデザール橋やソウルの南山にあるＮソウルタワーの野外テラスで恋人たちが欄干に南京錠をぶら下げたり、鍵を川に投げて愛を誓う用途で南京錠が使用されることが代表的である。
【０００５】
このように南京錠を多様な用途で使用するための技術として、韓国登録特許第１０−１５８７９５３号の「南京錠」はランプが備えられた南京錠を開示している。
【先行技術文献】
【特許文献】
【０００６】
【特許文献１】韓国登録特許第１０−１５８７９５３号公報
【発明の概要】
【発明が解決しようとする課題】
【０００７】
開示された南京錠は、恋人同士で愛を誓ったり、特定の日を記念するなどの用途で南京錠を使用する際、南京錠に備えられた発光素子を点灯させるための構造の改善を目的とする。
【０００８】
また、上述したような技術的課題に限定されず、以下の説明から別の技術的課題が導き出される場合もあることは自明である。
【課題を解決するための手段】
【０００９】
開示された内容は、本体、本体に結合されて南京錠の開錠状態または施錠状態をなす掛け金、及び本体に結合されて南京錠の施錠状態で作動する発光部を含む南京錠を提供する。
【発明の効果】
【００１０】
改善された南京錠は、恋人同士で愛を誓ったり、特定の日を記念するなどの用途で南京錠を使用する際、発光素子を点灯させるための多様な構造を通じて記憶に長く残すことのできる照明を提供することができる。
【００１１】
本発明の効果は以上で言及した効果に制限されず、言及しない別の効果は請求の範囲の記載から当業者に明確に理解され得るものである。
【図面の簡単な説明】
【００１２】
【図１】改善された南京錠を示す斜視図である。
【図２】改善された南京錠の点灯部の実施例１による構造を概略的に示す正面及び側面分解図である。
【図３】図２による南京錠本体の正面断面図である。
【図４】図２による南京錠の正面及び側面内部構造を示す断面図である。
【図５】改善された南京錠の点灯部の実施例２による正面内部構造を概略的に示す断面図である。
【図６】改善された南京錠の点灯部の実施例３による正面内部構造を概略的に示す断面図である。
【図７】改善された南京錠の点灯部の実施例４による正面及び側面内部構造を概略的に示す断面図である。
【図８】改善された南京錠の点灯部の実施例５による正面内部構造を概略的に示す断面図である。
【図９】改善された南京錠の点灯部の実施例６による正面内部構造を概略的に示す断面図である。
【図１０】改善された南京錠の点灯部の実施例７による構造を概略的に示す正面及び側面分解図である。
【図１１】図１０による南京錠本体の正面断面図である。
【図１２】図１０による南京錠の正面及び側面内部構造を示す断面図である。
【図１３】図１０による第２弾性バー及び発光部を含む南京錠本体の正面断面図である。
【図１４】図１０による第２弾性バー及び発光部を含む南京錠の正面及び側面内部構造を示す断面図である。
【図１５】改善された南京錠の点灯部の実施例８による正面内部構造を概略的に示す断面図である。
【図１６】改善された南京錠の点灯部の実施例９による正面内部構造を概略的に示す断面図である。
【図１７】改善された南京錠の点灯部の実施例１０による正面及び側面内部構造を概略的に示した断面図である。
【図１８】改善された南京錠の点灯部の実施例１１による正面内部構造を概略的に示す断面図である。
【図１９】改善された南京錠の点灯部の実施例１２による正面内部構造を概略的に示す断面図である。
【発明を実施するための形態】
【００１３】
図１乃至図４を参照すると、改善された南京錠は、
縦方向に第１出入溝１２０及び第２出入溝１４０が形成され、第１出入溝１２０と連通する固定溝１６０が横方向に形成される本体１００と、
丸棒形態として下から上に第１係止溝２２０と第２係止溝２４０が離隔して形成される一側端部は第１出入溝１２０に収容され、他側端部は南京錠の開錠状態で本体１００と離隔し、南京錠の施錠状態で第２出入溝１４０を通じて本体１００内部に挿入される掛け金２００と、
掛け金２００の一側端部の下で第１出入溝１２０に収容される第１弾性体３００と、
固定溝１６０に収容される第２弾性体４００と、
一側が第２弾性体４００に接するように固定溝１６０に挿入され、他側は南京錠の開錠状態で第１係止溝２２０に位置し、南京錠の施錠状態で第２係止溝２４０に位置する固定ピン５００と、
本体１００に結合され、南京錠の施錠状態で作動する発光部６００と、を含む。
【００１４】
以下、添付図面を参照して好適な実施形態による南京錠の構成、動作及び作用効果について考察する。参考として、以下図面において、各構成要素は便宜及び明確性のために省略されるか概略的に示され、各構成要素の大きさは実際の大きさを反映するものではない。また、明細書の全体にわたって、同一の参照符号は同一の構成要素を指し、個別図面で同一の構成に対する図面符号は省略することとする。
【００１５】
図２乃至図４を参照すると、本体１００は、上部で掛け金２００が出入する部分であって、中央を基準に両側に上から下方向に第１出入溝１２０と第２出入溝１４０が離隔して形成され、第１出入溝１２０と交差する固定溝１６０が横方向に形成される。
【００１６】
そして、本体１００は、第２出入溝１４０と連通するように、下に発光部６００が収容される装着溝１７０が形成される。
【００１７】
本体１００は、金属または合成樹脂素材で形成され、分離して形成した後に接合して形成することができ、また一体形成することもできる。
【００１８】
本体１００を合成樹脂で形成する場合、製作が容易で雨水などによって錆が発生しない効果を得ることができ、金属を利用する場合にも金属表面にメッキやコーティング処理を施すことで錆の発生を防止することができる。
【００１９】
また、本体１００はメッセージが記録されたメモ用紙１１２を挿入できるメモ溝１１０を形成することができ、メモ溝１１０はメモカバー７２０によって開閉することができる。
【００２０】
メモカバー７２０はメモ溝１１０に螺合または嵌合することができる。
【００２１】
メモ溝１１０にはメモ用紙１１２を直接挿入して保管することも可能であるが、メモ用紙１１２を内部に収容できる容器７４０をメモ溝１１０に入れて、メモカバー７２０を利用してメモ溝１１０を閉鎖することもできる。
【００２２】
図２を参照すると、掛け金２００は一般的な南京錠のように丸棒を略「∩」状に曲げたものであって、長い方の一側端部は第１出入溝１２０に収容されて固定ピン５００によって本体１００に結合される。
【００２３】
そして、掛け金２００の短い方の他側端部は南京錠の開錠状態で本体１００と分離し、南京錠の施錠状態で第２出入溝１４０に収容される。
【００２４】
具体的に、掛け金２００の一側端部は下から上に第１係止溝２２０と第２係止溝２４０が離隔して形成される。
【００２５】
第１係止溝２２０は丸棒の周囲に沿ってリング形態をなすため、固定ピン５００が第１係止溝２２０に位置した際に掛け金２００は回転が可能であり、第１係止溝２２０の上部は傾斜して形成され、掛け金２００を押して南京錠を施錠状態にする時に固定ピン５００が容易に第２係止溝２４０を移動できる。
【００２６】
第２係止溝２４０は、第１係止溝２２０の上側の丸棒の周囲一部に形成され、掛け金２００を押して南京錠が施錠状態である時に固定ピン５００が位置する部分である。
【００２７】
掛け金２００は、南京錠の施錠状態で本体１００との気密を維持できるようにＯリング６８８が結合される。
【００２８】
図４を参照すると、第１弾性体３００は、第１出入溝１２０に収容される掛け金２００の一側端部に上方へ弾性力を提供するためのものであって、掛け金２００を本体１００の外に押し出す方向に弾性力が作用するので、平常時に第１係止溝２２０に位置する固定ピン５００が第２係止溝２４０に移動することを防止して南京錠の開錠状態を維持できるようにする。
【００２９】
固定ピン５００は、南京錠が開錠状態や施錠状態を維持できるようにする部分であって、第１出入溝１２０と連通する固定溝１６０に収容され、固定ピン５００と固定溝１６０との間には第２弾性体４００が位置するので、固定ピン５００が第１出入溝１２０方向に弾性力を受けるようになる。
【００３０】
即ち、固定ピン５００は、南京錠の開錠状態で第２弾性体４００によって第１係止溝２２０に位置した状態を維持し、南京錠の施錠状態で第２弾性体４００によって第２係止溝２４０に位置した状態を維持することができる。
【００３１】
固定溝１６０に第２弾性体４００と固定ピン５００が収容された状態で掛け金２００が本体１００に結合されると、固定溝１６０に栓７００が結合されて固定溝１６０は閉鎖される。
【００３２】
図２を参照すると、発光部６００は、本体１００の内部または外部に結合されて南京錠の施錠状態で光を発散する部分であって、
本体１００に結合される発光素子６１０と、
発光素子６１０を覆うように本体１００に結合され、発光素子６１０の光を透過させる透光部６４０と、
本体１００に結合され、発光素子６１０に電気を供給する電源部６６０と、
南京錠の施錠状態で発光素子６１０と電源部６６０を電気的に連結する点灯部６８０と、が含まれる。
【００３３】
発光素子６１０は、電源部６６０から供給される電気を利用して光を出す部分であって、一般的な電球を利用することができ、電球に比べて寿命が長く電力の消耗が少ないＬＥＤを利用することが好ましい。
【００３４】
発光素子６１０は、本体１００内部に設置した後、本体１００に結合される透光部６４０を通じて光を発散するようにすることが好ましく、本体１００に結合される透光部６４０を利用して本体１００外部に設置することも可能である。
【００３５】
発光素子６１０として単に光を出すＬＥＤの代わりに映像表示装置（図示せず）を利用することもでき、映像表示装置を利用する場合、使用者が所望する文章やイメージを表示することが可能である。
【００３６】
映像表示装置に表示する文章やイメージは予め入力されたデータを利用することができ、また、別途備えられたメモリ（図示せず）に個別的にデータを入力することも可能である。
【００３７】
映像表示装置は、ＬＣＤ（液晶ディスプレイ）パネル、ＴＦＴ−ＬＣＤ（薄膜液晶ディスプレイ）パネル、ＯＬＥＤ（有機発光ダイオード）パネル、ＡＭＯＬＥＤ（アクティブマトリクス式有機発光ダイオード）パネルなどを言う。
【００３８】
透光部６４０は、本体１００に接着剤を用いて結合することができ、螺合や嵌合も可能であり、本体１００と結合された状態で互いに気密を維持できるようにＯリング６８６が結合できる。
【００３９】
電源部６６０は、発光素子６１０が光を出すことができるように電気を供給するバッテリーに該当する部分であって、一般的な円筒形乾電池を利用することもできるが、ボタン型水銀電池を利用することが好ましい。
【００４０】
そして、電源部６６０を構成するバッテリーは使い捨てを使用でき、この場合、本体１００に収容されるバッテリーを交換できるように本体１００にバッテリーカバー（図示せず）を備えることもできる。
【００４１】
また、電源部６６０は充電が可能なバッテリーを利用できるが、この場合、本体１００で放電されたバッテリーを分離後に充電して再び装着でき、補助バッテリーなどの外部電源を連結できる端子（図示せず）を本体１００に備えることもでき、本体１００に太陽光パネル（図示せず）を備え、ここで生産される電気でバッテリーを充電することも可能である。
【００４２】
電源部６６０は、光の明るさを測定できる照度センサー（図示せず）を利用して所定の明るさ以下でのみ発光素子６１０に電気を供給したり、タイマー（図示せず）を備えて年中日没時間など所定の時間に合わせて発光素子６１０に電気を供給することも可能であり電源部６６０に照度センサーやタイマーを備える場合、曇りや日没以降の夕方にのみ発光素子６１０に電気を供給することができることにより、バッテリーをより長く効率的に使用することが可能である。
【００４３】
また、電源部６６０は、発光素子６１０に電気を供給したり、遮断することができる別途の電源スイッチ（図示せず）を備えて南京錠の施錠状態で発光素子６１０に電気を供給するか否かを選択することができる。
【００４４】
本体１００に結合された電源スイッチが外部に露出する場合には別途の防水処理を施すことが好ましく、電源スイッチをメモ溝１１０内部に設置する場合、メモ溝１１０に挟まれる容器７４０がメモカバー７２０によって本体１００内部に移動して電源スイッチを作動するようにすることも可能である。
【００４５】
点灯部６８０は、南京錠の施錠状態で電源部６６０から供給される電気を発光素子６１０に印加する部分である。以下、各実施例について説明する。
【００４６】
（実施例１）
図４を参照すると、点灯部６８０は、
上下に移動できるように第２出入溝１４０に結合されるプッシュピン６８３と、
発光素子６１０の第１接続端子６１２と電源部６６０の第１電極６６２との間に結合される第１接続部６８１と、
発光素子６１０の第２接続端子６１４と電源部６６０の第２電極６６４との間に結合される第２接続部６８２と、を含むことができる。
【００４７】
第１接続部６８１は、第１接続端子６１２と第１電極６６２を常に連結しており、掛け金２００の他側端部が本体１００に挿入されるとプッシュピン６８３を下に押すことになり、プッシュピン６８３は電源部６６０を下に移動させることになり、第２接続部６８２は第２電極６６４と接することになるので、電源部６６０から発光素子６１０に電気が供給されるようになる。
【００４８】
プッシュピン６８３は、必要に応じて多様な形態で形成されることができ、南京錠の開錠状態で電源部６６０を下に移動させることができないようにプッシュピン６８３と本体１００との間に別途の弾性体８００を追加で備えられ、プッシュピン６８３が本体１００から離脱することを防止できるように本体１００に第２出入溝１４０の内側に形成されたストッパ１４２に係止される突起６８９が外側に突出して形成されることができ、プッシュピン６８３は、本体１００と結合された状態で互いに気密を維持できるようにＯリング６８７が結合されることができ、以下の実施例でも同様である。
【００４９】
掛け金２００の他側端部はプッシュピン６８３なしに直接電源部６６０を移動させることも可能であり、以下の実施例でも同様である。
【００５０】
電源部６６０の第１電極６６２は＋または−電極であり、第２電極６６４は第１電極６６２を除く残りの電極であり、以下の実施例でも同様である。
【００５１】
（実施例２）
図５を参照すると、点灯部６８０は、
上下に移動できるように第２出入溝１４０に結合されるプッシュピン６８３と、
発光素子６１０の第１接続端子６１２と電源部６６０の第１電極６６２との間に結合される第１接続部６８１と、
発光素子６１０の第２接続端子６１４とプッシュピン６８３との間に結合される第２接続部６８２と、を含むことができる。
【００５２】
第１接続部６８１は第１接続端子６１２と第１電極６６２を常に連結しており、掛け金２００の他側端部が本体１００に挿入されるとプッシュピン６８３を下に押すことになり、プッシュピン６８３は第２接続部６８２を下に移動させることになり、第２接続部６８２は下に曲がりながら第２電極６６４と接することになるので、電源部６６０から発光素子６１０に電気が供給されるようになる。
【００５３】
（実施例３）
図６を参照すると、点灯部６８０は、
発光素子６１０の第１接続端子６１２と電源部６６０の第１電極６６２との間に結合される第１接続部６８１と、
発光素子６１０の第２接続端子６１４と電源部６６０の第２電極６６４との間に結合される第２接続部６８２と、
第１接続部６８１または第２接続部６８２に連結されて発光素子６１０に電源を印加するスイッチ６８４と、を含むことができる。
【００５４】
例えば、第１接続部６８１は第１接続端子６１２と第１電極６６２を常に連結しており、掛け金２００の他側端部が本体１００に挿入されるとスイッチ６８４を作動させることになるので、電源部６６０から発光素子６１０に電気が供給されるようになる。
【００５５】
スイッチ６８４は、第２出入溝１４０に突出するように本体１００に設置することができ、第２出入溝１４０に直接設置することも可能である。
【００５６】
（実施例４）
図７を参照すると、点灯部６８０は、
本体１００に結合される回転カバー６８５と、
発光素子６１０の第１接続端子６１２と電源部６６０の第１電極６６２との間を連結するように回転カバー６８５に結合される第１接続部６８１と、
発光素子６１０の第２接続端子６１４と電源部６６０の第２電極６６４との間を連結するように回転カバー６８５に結合される第２接続部６８２と、を含むことができる。
【００５７】
回転カバー６８５は本体１００内部に設置されるバッテリーと上を覆う部分であって、発光素子６１０は回転カバー６８５に設置されるので、回転カバー６８５を回すと発光素子６１０も一緒に回転する。
【００５８】
第１接続部６８１は第１接続端子６１２と第１電極６６２を常に連結しており、回転カバー６８５を回転させると第２電極６６４と離れていた第２接続部６８２が第２電極６６４に接するようになるので、電源部６６０から発光素子６１０に電気が供給されるようになる。
【００５９】
回転カバー６８５は本体１００と結合された状態で互いに気密を維持できるようにＯリング６８６が結合される。
【００６０】
以下、発光部６００の他の実施例について説明する。
【００６１】
（実施例５）
図８を参照すると、発光部６００は、
柔軟な素材のチューブ内に発光のための化学物質を収容しているケミカルライト６２０と、
上下に移動できるように第２出入溝１４０に結合されるプッシュピン６８３と、を含むことができる。
【００６２】
ケミカルライト（Ｃｈｅｍｉｃａｌ Ｌｉｇｈｔ）６２０は化学反応を利用して長時間光を出すようにする発光体であって、一般的に外から見える外被内に毛細ガラス管が入っており、ケミカルライト６２０を手で握って折ると内部毛細ガラス管が破裂し、その中の化学物質が外に出て外被内のオキサレートと混合して化学反応を起こし、明るい光を出すようになる。
【００６３】
掛け金２００の他側端部が本体１００に挿入されるとプッシュピン６８３を下に押すことになり、プッシュピン６８３がケミカルライト６２０を押して発光させるようになる。
【００６４】
そして、本体１００は、南京錠の施錠状態でプッシュピン６８３がケミカルライト６２０を折れるように、プッシュピン６８３を基準にしてケミカルライト６２０の下部両側に係止突起１８０が離隔して形成される。
【００６５】
即ち、南京錠の施錠状態で係止突起１８０上にケミカルライト６２０が位置することになり、プッシュピン６８３は係止突起１８０の間に入ることになるので、ケミカルライト６２０が容易に折れるようになる。
【００６６】
（実施例６）
図９を参照すると、発光部６００は、
ＬＥＤ及びＬＥＤに電気を供給するバッテリーを含む電子ケミカルライト６３０と、
本体１００にヒンジで結合される回転ピン６５０と、
上下に移動できるように第２出入溝１４０に結合されるプッシュピン６８３と、を含むことができる。
【００６７】
掛け金２００の他側端部が本体１００に挿入されるとプッシュピン６８３を下に押すことになり、プッシュピン６８３が回転ピン６５０を押すことになるので、回転ピン６５０はヒンジ軸を中心に回転しながら電子ケミカルライト６３０を押して発光させるようになる。
【００６８】
電子ケミカルライト６３０は、内部に化学物質が入っているケミカルライトの代わりに使用するためのものであって、ＬＥＤなどからなる発光体及びＬＥＤに電気を供給するバッテリーから構成され、バッテリーを回したり押すとＬＥＤが作動する。
【００６９】
以下、本体１００内部に流入した雨水などを排出するための構成について説明する。
本体１００の内部に雨水などが流入した場合に内部に流入した雨水などを排出し得るように、本体１００は第１出入溝１２０と装着溝１７０の下部に本体１００外部に通じる排出孔１９０を形成することができる。
【００７０】
したがって、Ｏリング６８６、６８７、６８８によって１次的に本体１００に雨水などが流入することが防止され、万一、本体１００内部に雨水などが流入しても排出孔１９０を通じて本体１００外部に自然に流れ出るようになるので、雨水などから本体１００内部に設置された電子部品を安全に保護することができる。
【００７１】
図１０乃至図１４を参照すると、改善された南京錠は、
縦方向に第１出入溝１２０と第２出入溝１４０が離隔して形成され、第１出入溝１２０及び第２出入溝１４０と連通する設置溝１５０が横方向に形成される本体１００と、
曲がった丸棒形態として下から上に第１係止溝２２０と第２係止溝２４０が離隔して形成される一側端部は第１出入溝１２０に収容され、他側端部は南京錠の開錠状態で本体１００と離隔し、南京錠の施錠状態で第２出入溝１４０を通じて本体１００内部に挿入される掛け金２００と、
掛け金２００の一側端部に接するように第１出入溝１２０に収容される第１弾性体３００と、
設置溝１５０に収容され、一側には南京錠の開錠状態で第１係止溝２２０に位置し、南京錠の施錠状態で第２係止溝２４０に位置する第１弾性バー４２０が形成される弾性片４００を含む。
【００７２】
別の実施形態による改善された南京錠は、
縦方向に第１出入溝１２０と第２出入溝１４０が離隔して形成され、第１出入溝１２０及び第２出入溝１４０と連通する設置溝１５０が横方向に形成され、第２出入溝１４０の下端と連通する装着溝１７０が形成される本体１００と、
曲がった丸棒形態として下から上に第１係止溝２２０と第２係止溝２４０が離隔して形成される一側端部は第１出入溝１２０に収容され、他側端部は南京錠の開錠状態で本体１００と離隔し、南京錠の施錠状態で第２出入溝１４０を通じて本体１００内部に挿入される掛け金２００と、
掛け金２００の一側端部に接するように第１出入溝１２０に収容される第１弾性体３００と、
設置溝１５０に収容され、一側には南京錠の開錠状態で第１係止溝２２０に位置し、南京錠の施錠状態で第２係止溝２４０に位置する第１弾性バー４２０が形成され、他側には南京錠の施錠状態で掛け金２００の他側端部によって下に曲がる第２弾性バー４４０が形成される弾性片４００と、
本体１００に形成された装着溝１７０に結合されて南京錠の施錠状態で作動する発光部６００と、を含む。
【００７３】
図１０乃至図１４を参照すると、本体１００は、上部で掛け金２００が出入する部分であって、中央を基準に両側に上から下方向に第１出入溝１２０と第２出入溝１４０が離隔して形成され、第１出入溝１２０及び第２出入溝１４０と連通する設置溝１５０が横方向に形成される。
【００７４】
設置溝１５０は、弾性片４００を本体に設置するための空間であって、第１出入溝１２０及び第２出入溝１４０と連通するように横方向に形成される。
【００７５】
具体的に、設置溝１５０は、中央に位置する第１設置溝１５２、第１設置溝１５２の一側に位置して第１弾性バー４２０が動き得る空間を提供する第２設置溝１５４及び第１設置溝１５２の他側に位置して第２弾性バー４４０が動き得る空間を提供する第３設置溝１５６を含む。
【００７６】
第１設置溝１５２は、弾性片４００の中央部分を固定する空間であって、中央部分が下に曲がるように形成して弾性片４００が左右に動くことを防止することができる。
【００７７】
即ち、設置溝１５０は、第１設置溝１５２を中心に一側に第１弾性バー４２０が位置することになる第２設置溝１５４が形成され、他側に第２弾性バー４４０が位置することになる第３設置溝が形成される。
【００７８】
掛け金２００が下降しながら南京錠が開錠状態から施錠状態に変わる際、弾性片４００の第１弾性バー４２０と第２弾性バー４４０は下に曲がるようになり、第２設置溝１５４は第１弾性バー４２０が曲がり得る空間を提供するようになり、第３設置溝１５６は第２弾性バーが曲がり得る空間を提供するようになる。
【００７９】
そして、本体１００は、第２出入溝１４０と連通するように下に発光部６００が収容される装着溝１７０が形成されることができる。
【００８０】
本体１００は、金属または合成樹脂素材で形成され、分離して形成した後に結合することができ、一体形成することもできる。
【００８１】
本体１００を合成樹脂で形成する場合、製作が容易で雨水などによって錆が発生しない効果を得ることができ、金属を利用する場合にも金属表面にメッキやコーティング処理を施すことで錆の発生を防止することができる。
【００８２】
また、本体１００はメッセージが記録されたメモ用紙１１２を挿入できるメモ溝１１０が形成されることができ、メモ溝１１０はメモカバー７２０によって開閉することができる。
【００８３】
メモカバー７２０はメモ溝１１０に螺合または嵌合することができる。
【００８４】
メモ溝１１０にはメモ用紙１１２を直接挿入して保管することも可能であるが、メモ用紙１１２を内部に収容できる容器７４０をメモ溝１１０に入れ、メモカバー７２０を利用してメモ溝１１０を閉鎖することもできる。
【００８５】
図１０を参照すると、掛け金２００は、一般的な南京錠のように丸棒を略「∩」状に曲げたものであって、長い方である一側端部は、第１出入溝１２０に収容されて弾性片４００の第１弾性バー４２０によって本体１００から離脱が防止される。
【００８６】
そして、掛け金２００の短い方である他側端部は、南京錠の開錠状態で本体１００と分離し、南京錠の施錠状態で第２出入溝１４０に収容される。
【００８７】
具体的に、掛け金２００の一側端部は下から上に第１係止溝２２０と第２係止溝２４０が離隔して形成される。
【００８８】
第１係止溝２２０は丸棒の周囲に沿ってリング形態をなすため、第１弾性バー４２０が第１係止溝２２０に位置した場合に掛け金２００は回転が可能であり、第１係止溝２２０の上部は傾斜して形成され、掛け金２００を押して南京錠を施錠状態にする時に第１弾性バー４２０が容易に第２係止溝２４０を移動できる。
【００８９】
第２係止溝２４０は、第１係止溝２２０の上側の丸棒の周囲一部に形成され、掛け金２００を押して南京錠が施錠状態である時に第１弾性バー４２０が位置する部分である。
【００９０】
また、掛け金２００は、南京錠の施錠状態で本体１００との気密を維持できるようにＯリング６８８が結合される。
【００９１】
図１４を参照すると、第１弾性体３００は、第１出入溝１２０に収容される掛け金２００の一側端部に上方へ弾性力を提供するためのものであって、掛け金２００を本体１００の外に押し出す方向に弾性力が作用するので、平常時に第１係止溝２２０に位置する第１弾性バー４２０が第２係止溝２４０に移動することを防止して南京錠の開錠状態を維持できるようにする。
【００９２】
弾性片４００は、南京錠が開錠状態や施錠状態を維持し得るようにする他、南京錠の施錠状態で発光部６００を作動させるための部分であって、第１出入溝１２０及び第２出入溝１４０と連通する設置溝１５０に配置される。
【００９３】
弾性片４００の第１弾性バー４２０は、設置溝１５０に挿入されて両側を下方向に押す時、反対方向に弾性力を発揮するようになる部分である。
【００９４】
即ち、第１弾性バー４２０は、南京錠の開錠状態で自身の形状によって掛け金２００の第１係止溝２２０に位置した状態を維持することができ、第１弾性バー４２０は掛け金２００が下降する時、第２設置溝１５４で曲がって掛け金２００の第２係止溝２４０に移動することになるので、南京錠は施錠状態を維持することになる。
【００９５】
そして、第１弾性バー４２０は、下方に傾斜して形成し、第１弾性バー４２０が第２係止溝２４０に移動した後には再び第１係止溝２２０に移動することを防止することができる。
【００９６】
また、弾性片４００の第２弾性バー４４０は、掛け金２００が下降する時、下に曲がって発光部６００を作動させるための部分であって、第２出入溝１４０に沿って移動下降し得るように縦方向に形成された第２出入溝１４０と並んだ方向に形成することができ、第２弾性バー４４０の末端は発光部６００と接触する面積を拡大するために横方向に曲がるように形成することができる。
【００９７】
図１０を参照すると、発光部６００は、本体１００の内部または外部に結合されて南京錠の施錠状態で光を発散する部分であって、
本体１００の装着溝１７０内部に結合される発光素子６１０と、
発光素子６１０を覆うように本体１００の装着溝１７０に結合されて発光素子６１０から出る光を本体１００外部に透過させる透光部６４０と、
本体１００の装着溝１７０内部に結合されて発光素子６１０に電気を供給する電源部６６０と、
南京錠の施錠状態で発光素子６１０と電源部６６０を電気的に連結する点灯部６８０と、を含むことができる。
【００９８】
発光素子６１０は、電源部６６０から供給される電気を利用して光を出す部分であって、一般的な電球を利用することもできるが、電球に比べて寿命が長く電力消耗が少ないＬＥＤを利用することが好ましい。
【００９９】
発光素子６１０は、本体１００の装着溝１７０内部に設置した後、装着溝１７０に結合される透光部６４０を通じて光を発散するようにすることが好ましく、本体１００に結合される透光部６４０を利用して本体１００外部に設置することも可能である。
【０１００】
発光素子６１０として単に光を出すＬＥＤの代わりに映像表示装置（図示せず）を利用することもでき、映像表示装置を利用する場合、使用者が所望する文章やイメージを表示することが可能である。
【０１０１】
映像表示装置に表示する文章やイメージは、予め入力されたデータが利用でき、別途備えられたメモリ（図示せず）に個別にデータを入力して映像表示装置に文章やイメージを選択することもできる。
【０１０２】
ここで、映像表示装置は、ＬＣＤ（液晶ディスプレイ）パネル、ＴＦＴ−ＬＣＤ（薄膜液晶ディスプレイ）パネル、ＯＬＥＤ（有機発光ダイオード）パネル、ＡＭＯＬＥＤ（アクティブマトリクス式有機発光ダイオード）パネルなどを言う。
【０１０３】
透光部６４０は、装着溝１７０に接着剤を用いて結合でき、螺合や嵌合も可能であり、本体１００と結合された状態で互いに気密を維持できるようにＯリング６８６が結合される。
【０１０４】
電源部６６０は、発光素子６１０が光を出し得るように電気を供給するバッテリーに該当する部分であって、一般的な円筒形乾電池を利用することもできるが、ボタン型水銀電池を利用することが好ましい。
【０１０５】
そして、電源部６６０を構成するバッテリーは使い捨てを使用でき、この場合、本体１００に収容されるバッテリーを交換し得るように本体１００にバッテリーカバー（図示せず）を備えることもできる。
【０１０６】
また、電源部６６０は充電が可能なバッテリーを利用することもできるが、この場合、本体１００で放電されたバッテリーを分離後に充電して再び装着することができ、補助バッテリーなどの外部電源を連結し得る端子（図示せず）を本体１００に備えられ、本体１００に太陽光パネルを（図示せず）を備え、ここで生産される電気でバッテリーを充電することも可能である。
【０１０７】
電源部６６０は、光の明るさを測定できる照度センサー（図示せず）を利用して所定の明るさ以下でのみ発光素子６１０に電気を供給したり、タイマー（図示せず）を備えて年中日没時間など所定の時間に合わせて発光素子６１０に電気を供給することも可能であり電源部６６０に照度センサーやタイマーを備える場合、曇りや日没以降の夕方にのみ発光素子６１０に電気を供給することができるので、バッテリーをより長く効率的に使用することが可能である。
【０１０８】
また、電源部６６０は、発光素子６１０に電気を供給したり、遮断することができる別途の電源スイッチ（図示せず）を備え、南京錠の施錠状態で発光素子６１０に電気を供給するか否かを選択することができる。
【０１０９】
本体１００に結合された電源スイッチが外部に露出する場合には、別途の防水処理を施すことが好ましく、電源スイッチをメモ溝１１０内部に設置する場合、メモ溝１１０に挟まれる容器７４０がメモカバー７２０によって本体１００内部に移動して電源スイッチを作動するようにできる。
【０１１０】
点灯部６８０は、南京錠の施錠状態で電源部６６０から供給される電気を発光素子６１０に印加する部分であって、以下で各実施例について説明する。
【０１１１】
（実施例７）
図１０と図１４を参照すると、点灯部６８０は、
発光素子６１０の第１接続端子６１２と電源部６６０の第１電極６６２との間に結合される第１接続部６８１と、
発光素子６１０の第２接続端子６１４と電源部６６０の第２電極６６４との間に結合される第２接続部６８２と、を含むことができる。
【０１１２】
第１接続部６８１は、第１接続端子６１２と第１電極６６２を常に連結しており、掛け金２００の他側端部が本体１００に挿入されると弾性片４００の第２弾性バー４４０を下に押すことになり、このように下に押された第２弾性バー４４０は電源部６６０を下に移動させることになり、南京錠の開錠状態で第２電極６６４と接しなかった第２接続部６８２が下に移動して第２電極６６４と接するようになるので、電源部６６０から発光素子６１０に電気が供給されるようになる。
【０１１３】
掛け金２００の他側端部は、弾性片４００の第２弾性バー４４０なしでも直接電源部６６０を移動させることも可能であり、電源部６６０の第１電極６６２は＋または−電極であり、電源部６６０の第２電極６６４は第１電極６６２を除く残りの電極であり、以下の実施例でも同様である。
【０１１４】
（実施例８）
図１５を参照すると、点灯部６８０は、
発光素子６１０の第１接続端子６１２と電源部６６０の第１電極６６２との間に結合される第１接続部６８１と、
発光素子６１０の第２接続端子６１４と電源部６６０の第２電極６６４との間に結合される第２接続部６８２と、を含むことができる。
【０１１５】
第１接続部６８１は第１接続端子６１２と第１電極６６２を常に連結しており、掛け金２００の他側端部が本体１００に挿入されると弾性片４００の第２弾性バー４４０を下に押すことになり、このように下に押された第２弾性バー４４０は第２接続部６８２を下に移動させることになり、第２接続部６８２は下に曲がりながら第２電極６６４と接することになるので、電源部６６０から発光素子６１０に電気が供給されるようになる。
【０１１６】
（実施例９）
図１６を参照すると、点灯部６８０は、
発光素子６１０の第１接続端子６１２と電源部６６０の第１電極６６２との間に結合される第１接続部６８１と、
発光素子６１０の第２接続端子６１４と電源部６６０の第２電極６６４との間に結合される第２接続部６８２と、
第１接続部６８１または第２接続部６８２に連結されて発光素子６１０に電源を印加するスイッチ６８４と、を含むことができる。
【０１１７】
例えば、第１接続部６８１は第１接続端子６１２と第１電極６６２を常に連結しており、掛け金２００の他側端部が本体１００に挿入されると弾性片４００の第２弾性バー４４０を下に押すことになり、このように下に押された第２弾性バー４４０はスイッチ６８４を作動させることになるので、電源部６６０から発光素子６１０に電気が供給されるようになる。
【０１１８】
スイッチ６８４は第２出入溝１４０または装着溝１７０に設置することができる。
【０１１９】
（実施例１０）
図１７を参照すると、点灯部６８０は、
透光部６４０が結合される本体１００の装着溝１７０に結合される回転カバー６８５と、
発光素子６１０の第１接続端子６１２と電源部６６０の第１電極６６２との間を連結するように回転カバー６８５に結合される第１接続部６８１と、
発光素子６１０の第２接続端子６１４と電源部６６０の第２電極６６４との間を連結するように回転カバー６８５に結合される第２接続部６８２と、を含むことができる。
【０１２０】
回転カバー６８５は、本体１００内部に設置される電源部６６０を覆う部分であって、発光素子６１０は回転カバー６８５に設置されるので、回転カバー６８５を回すと発光素子６１０も一緒に回転する。
【０１２１】
第１接続部６８１は第１接続端子６１２と第１電極６６２を常に連結しており、回転カバー６８５を回転させると第２電極６６４と離れていた第２接続部６８２が第２電極６６４に接することになるので、電源部６６０から発光素子６１０に電気が供給されるようになる。
【０１２２】
回転カバー６８５は、本体１００と結合された状態で互いに気密を維持できるようにＯリング６８６が結合される。
【０１２３】
以下、発光部６００の他の実施例について説明する。
【０１２４】
（実施例１１）
図１８を参照すると、発光部６００は、
柔軟な素材のチューブ内に発光のための化学物質を収容しているケミカルライト６２０と、
本体１００の装着溝１７０に結合されてケミカルライト６２０から出る光を透過させる透光部６４０と、を含むことができる。
【０１２５】
ケミカルライト（Ｃｈｅｍｉｃａｌ Ｌｉｇｈｔ）６２０は、化学反応を利用して長時間光を出すようにする発光体であって、一般的に外から見える外被内に毛細ガラス管が入っており、ケミカルライト６２０を手で握って折ると内部毛細ガラス管が破裂し、その中の化学物質が外に出て外被内のオキサレートと混合して化学反応を起こし、明るい光を出すようになる。
【０１２６】
掛け金２００の他側端部が本体１００に挿入されると弾性片４００の第２弾性バー４４０を下に押すことになり、このように下に押された第２弾性バー４４０はケミカルライト６２０を押して発光させるようになる。
【０１２７】
そして、本体１００は、南京錠の施錠状態で第２弾性バー４４０がケミカルライト６２０を折れるように第２弾性バー４４０を基準にしてケミカルライト６２０の下部両側に係止突起１８０が離隔して形成される。
【０１２８】
即ち、南京錠の施錠状態で係止突起１８０上にケミカルライト６２０が位置することになり、第２弾性バー４４０は係止突起１８０の間に入ることになるので、ケミカルライト６２０が容易に折れるようになる。
【０１２９】
（実施例１２）
図１９を参照すると、発光部６００は、
ＬＥＤ及びＬＥＤに電気を供給するバッテリーを含む電子ケミカルライト６３０と、
本体１００の装着溝１７０に結合されて電子ケミカルライト６３０から出る光を透過させる透光部６４０と、
本体１００にヒンジで結合される回転ピン６５０を含むことができる。
【０１３０】
掛け金２００の他側端部が本体１００に挿入されると弾性片４００の第２弾性バー４４０を下に押すことになり、このように下に押された第２弾性バー４４０は回転ピン６５０を押すことになるので、回転ピン６５０はヒンジ軸を中心に回転しながら電子ケミカルライト６３０を押して発光させるようになる。
【０１３１】
電子ケミカルライト６３０は、内部に化学物質が入っているケミカルライトの代わりに使用するためのものであって、ＬＥＤなどからなる発光体及びＬＥＤに電気を供給するバッテリーから構成され、バッテリーを回すか押すとＬＥＤが作動するようになる。
【０１３２】
以下、本体１００内部に流入した雨水などを排出するための構成について説明する。
本体１００の内部に雨水などが流入した場合に内部に流入した雨水などを排出し得るように本体１００は第１出入溝１２０と装着溝１７０の下部に本体１００外部に通じる排出孔１９０を形成することができる。
【０１３３】
したがって、Ｏリング６８６、６８８によって１次的に本体１００に雨水などが流入することが防止され、万一、本体１００内部に雨水などが流入しても排出孔１９０を通じて本体１００外部に自然に流れ出るようになるので、雨水などから本体１００内部に設置された電子部品などを安全に保護することができる。
【０１３４】
以上、添付の図面を参照して本発明の好適な実施形態について説明したが、本明細書に記載された実施形態と図面に示した構成は本発明の最も好ましい一実施形態に過ぎず、本発明の技術的思想をすべて代弁するものではないため、本出願時点において、これらを代替し得る多様な均等物と変形例があり得ることを理解しなければならない。そのため、以上で記述した実施形態はすべての面で例示的なものであり、限定的なものではないものとして理解されなければならず、本発明の範囲は詳細な説明より、後述する特許請求の範囲によって示され、特許請求の範囲の意味及び範囲、そして、その等価概念から導き出されるすべての変更または変形された形態が本発明の範囲に含まれることと解釈されなければならない。
【符号の説明】
【０１３５】
１００    本体
１１０    メモ溝
１１２    メモ用紙
１２０    第１出入溝
１４０    第２出入溝
１４２    ストッパ
１５０    設置溝
１５２    第１設置溝
１５４    第２設置溝
１５６    第３設置溝
１６０    固定溝
１７０    装着溝
１８０    係止突起
１９０    排出孔
２００    掛け金
２２０    第１係止溝
２４０    第２係止溝
３００    第１弾性体
４００    第２弾性体または弾性片
４２０    第１弾性バー
４４０    第２弾性バー
５００    固定ピン
６００    発光部
６１０    発光素子
６１２    第１接続端子
６１４    第２接続端子
６２０    ケミカルライト
６３０    電子ケミカルライト
６４０    透光部
６５０    回転ピン
６６０    電源部
６６２    第１電極
６６４    第２電極
６８０    点灯部
６８１    第１接続部
６８２    第２接続部
６８３    プッシュピン
６８４    スイッチ
６８５    回転カバー
６８６    Ｏリング
６８７    Ｏリング
６８８    Ｏリング
７００    栓
７２０    メモカバー
７４０    容器
【図１】
2019044570.tif 000003
【図２】
2019044570.tif 000004
【図３】
2019044570.tif 000005
【図４】
2019044570.tif 000006
【図５】
2019044570.tif 000007
【図６】
2019044570.tif 000008
【図７】
2019044570.tif 000009
【図８】
2019044570.tif 000010
【図９】
2019044570.tif 000011
【図１０】
2019044570.tif 000012
【図１１】
2019044570.tif 000013
【図１２】
2019044570.tif 000014
【図１３】
2019044570.tif 000015
【図１４】
2019044570.tif 000016
【図１５】
2019044570.tif 000017
【図１６】
2019044570.tif 000018
【図１７】
2019044570.tif 000019
【図１８】
2019044570.tif 000020
【図１９】
2019044570.tif 000021